(57)【特許請求の範囲】
【請求項１】
筐体と、
前記筐体に対して挿抜自在であって、光ディスクの記録又は再生を行うディスク記録／再生ユニットが搭載された可動体と、
前記ディスク記録／再生ユニットを覆うように前記可動体に設けられた保護部材と、
前記筐体にスライド自在に設けられたスライダ部材と、
少なくとも前記筐体内へ前記可動体が挿入された状態において、前記筐体内より前記可動体を排出するための付勢力を前記スライダ部材に付与する付勢部材と、
前記保護部材に設けられ、前記付勢部材により付勢力を付与された前記スライダ部材と導電接触して前記ディスク記録／再生ユニットのアースをとる導電接触部と
を具備することを特徴とする光ディスク装置。
【請求項２】
請求項１記載の光ディスク装置において、
前記スライダ部材と前記保護部材とは、板状の金属材料を加工成形した部材であって、
前記導電接触部が、板状の前記保護部材の端面で構成されているとともに、この導電接触部が、板状の前記スライダ部材の端面と導電接触することを特徴とする光ディスク装置。
【請求項３】
請求項２記載の光ディスク装置において、
前記導電接触部又はこの導電接触部と接触する前記スライダ部材の端面にテーパが形成されていることを特徴とする光ディスク装置。
【請求項４】
請求項１乃至３いずれかに記載の光ディスク装置において、
前記付勢部材が、コイルスプリングであることを特徴とする光ディスク装置。
【発明の詳細な説明】
【０００１】
【発明の属する技術分野】
本発明は、ＣＤ−ＲＯＭ、ＣＤ−Ｒ／ＲＷ、ＤＶＤ−ＲＯＭ等を始めとする光ディスクに対して記録／再生を行う光ディスク装置に関する。
【０００２】
【従来の技術】
近年のＰＣ（パーソナルコンピュータ）の急速な普及に伴って、携帯型のＰＣに内蔵されるタイプの光ディスク装置の開発が盛んに行われている。このような光ディスク装置は、軽量化や薄型化が一段と進み、今日では、光ディスクを搭載するトレーをキャビネットに対して水平、つまりトレーに搭載されたディスクの面の方向に沿って出し入れできるように構成されたものが主流である。
【０００３】
ここで、上記構造を採る光ディスク装置を例示する。図７はこの光ディスク装置を示す斜視図、図８は、図７の光ディスク装置から、後述するドロワがイジェクトされている状態を裏側からみた斜視図、図９は、図７の光ディスク装置の分解斜視図である。
【０００４】
これらの図に示すように、光ディスク装置５１は、光ディスクを記録／再生するためのディスク記録／再生ユニット５２が搭載されたドロワ５３と、このドロワ５３を収容可能な金属製のキャビネット５５とから主に構成されている。
【０００５】
ドロワ５３は、キャビネット５５に対して矢印Ｘ１−Ｘ２方向に出し入れ自在である。すなわち、キャビネット５５の両側内壁には、ドロワ５３をガイド支持するための断面コの字状のガイドレール５６、５７が各々固定されている。これらガイドレール５６、５７には、さらに、スライドレール５８、５９がスライド自在に固定されている。ドロワ５３は、両側に設けられたガイド突起６０、６１の先端部ａ１、ｂ１が、スライドレール５８、５９の先端部ａ２、ｂ２より各々嵌め込まれた形態でキャビネット５５に支持されている。
【０００６】
ドロワ５３は、キャビネット５５内へのドロワ５３の収容状態のロック／アンロックを行うイジェクトロック機構や、上述したガイド突起６０、６１を備えた樹脂製のトレー６２と、光ディスクの記録又は再生を光学的に行う前述したディスク記録／再生ユニット５２と、このディスク記録／再生ユニット５２を外部から保護するように覆う金属製のドロワ蓋６３とから構成されている。
【０００７】
ディスク記録／再生ユニット５２には、光ディスクを駆動するディスクモータ６４と、光ディスクにレーザ光を照射して情報の記録／再生を行うピックアップ６５と、このピックアップ６５をディスクの半径方向に搬送するピックアップ送り機構等が搭載されている。このようなディスク記録／再生ユニット５２と前述したドロワ蓋６３とは、図示しないフローティング機構を介しビス６６によりトレー６２に共締めされている。
【０００８】
また、キャビネット５５には、その内側面６８にスライド自在に設けられたドロワ排出用スライダ６９と、キャビネット５５内へドロワ５３が収容（挿入）された状態において、前記キャビネット５５内よりドロワ５３を排出するための付勢力をドロワ排出用スライダ６９に付与するスプリング７０と、ドロワ５３のイジェクトロック機構と係合してキャビネット５５内へのドロワ５３のロック／アンロックを実現する係合部が設けられている。
【０００９】
イジェクトロック機構が解除された場合には、ドロワ排出用スライダ６９先端の圧接部７１が、トレー６２に設けられたドロワ排出用接触部７２を、コイルスプリング７０の付勢力により押し出すことでドロワ５３がキャビネット５５内より排出（イジェクト）される。
【００１０】
ところで、このような光ディスク装置５１には、前述したビス６６によりア−スばね７３がドロワ蓋６３の外側面（キャビネット５５と対向する側の面）に取り付けられている。このア−スばね７３は、少なくともキャビネット５５内へドロワ５３が挿入された状態において、ドロワ蓋６３とキャビネット５５とを導電接触させる。すなわち、ア−スばね７３は、表面が膨出した金属製の板ばねであって、この膨出した部位とキャビネット５５の内側面６８とを導電接触させ、ディスク記録／再生ユニット５２のアースをとるための部材である。
【００１１】
詳述すると、樹脂製のトレー６２に取り付けられたドロワ蓋６３は、ア−スばね７３を通じてアースがとられていない場合、ディスク装置本体に対して電気的に浮遊している状態にあり、しかも比較的表面が広く構成されているため、ディスク記録／再生ユニット５２が有するピックアップ６５又は外部から放出される電波、電磁波の停滞場所になり、ノイズとなって記録再生性能に悪影響を及ぼす。
【００１２】
さらに、前記同様、ドロワ蓋６３のアースがとられていないと、外部（例えばディスクモータ等）からの静電気の放電によって、ピックアップ６５が備えるレーザダイオード等が、絶えず静電破壊等に至る危険性がある。
【００１３】
したがって、このような構造の光ディスク装置５１は、ディスク記録／再生ユニット５２を覆うドロワ蓋６３が、専用のアースばね７３を介してキャビネット５５へアース接地されている。
【００１４】
【発明が解決しようとする課題】
しかしながら、かかるアース機構には、次のような課題がある。
すなわち、ドロワ蓋６３を備えるドロワ５３は、ガイドレール５６、５７及びスライドレール５８、５９を介してキャビネット５５内に収容される構造であることから、いわゆるクリアランスガタが多く、ドロワ蓋６３に取り付けられたアースばね７３とキャビネット５５との接触状態が不安定であった。
【００１５】
また、アースばね７３は、この板ばねの膨出部分の成形寸法にバラツキが発生することに加え、装置を長期間にわたって使用して行くにつれドロワ５３の出し入れ動作にてキャビネット５５と摺動する当該板ばねの膨出部分にへたりや削れ等が発生し耐久性の面等でも問題がある。つまり、アースばね７３は、ばね単体においても、キャビネット５５との接触状態を不安定にする要素があった。
【００１６】
さらに、アースばね７３は、アースをとるためだけの専用部品であり、結果的に、製品コストの上昇を招いている。したがって、このような専用部品を光ディスク装置の構成部品から削減することへの要請もあった。
【００１７】
そこで本発明は、上記課題を解決するためになされたもので、簡易的な構成で、光ピックアップ等を備えたディスク記録／再生ユニットのアースをとる機構の接続信頼性を向上させることができ、しかもこのアース機構の接続信頼性を長期間にわたって持続させることのできる光ディスク装置を提供するものである。
【００１８】
【課題を解決するための手段】
上記目的を達成するために、本発明に係る光ディスク装置は、筐体と、前記筐体に対して挿抜自在であって、光ディスクの記録又は再生を行うディスク記録／再生ユニットが搭載された可動体と、前記ディスク記録／再生ユニットを覆うように前記可動体に設けられた保護部材と、前記筐体にスライド自在に設けられたスライダ部材と、少なくとも前記筐体内へ前記可動体が挿入された状態において、前記筐体内より前記可動体を排出するための付勢力を前記スライダ部材に付与する付勢部材と、前記保護部材に設けられ、前記付勢部材により付勢力を付与された前記スライダ部材と導電接触して前記ディスク記録／再生ユニットのアースをとる導電接触部とを具備することを特徴とする。
【００１９】
この発明の光ディスク装置は、ピックアップ等の電気部品が搭載されるディスク記録／再生ユニットのアースをとるために、可動体に設けられたディスク記録／再生ユニット覆う保護部材とスライダ部材が設けられた筐体とを、筐体内より可動体を排出するための付勢力を利用して導電接触させるものである。
【００２０】
したがって、この発明の光ディスク装置によれば、筐体内より可動体を排出するための排出力及びストローク量が、筐体及び保護部材を導電接触させるための接触力及び接触状態を維持する余裕度として実質的にそれぞれ置き換えられることになり、これにより、ディスク記録／再生ユニットのアースをとるアース機構の接続信頼性を向上させることができ、しかもこのアース機構の接続信頼性を長期間にわたって持続させることができる。
【００２１】
また、本発明に係る光ディスク装置は、前記スライダ部材と前記保護部材とが、板状の金属材料を加工成形した部材であって、前記導電接触部が、板状の前記保護部材の端面で構成されているとともに、この導電接触部が、板状の前記スライダ部材の端面と導電接触することを特徴とする。
【００２２】
この発明の光ディスク装置は、スライダ部材及び保護部材を構成する母材の金属材料の表面に例えば腐食防止用のメッキや塗料等がコーティングされている場合でも、これらの母材を裁断した端面（エッジ部）、すなわち母材の金属部分が露出した破断面どうしを導電接触させるので、アース機構の接続信頼性の向上を図ることができる。
【００２３】
さらに、本発明に係る光ディスク装置は、前記導電接触部又はこの導電接触部と接触する前記スライダ部材の端面にテーパが形成されていることを特徴とする。
この発明の光ディスク装置によれば、光ディスクを出し入れする動作、すなわち筐体に対して可動体を挿抜する動作により、スライダ部材の端面又は保護部材の導電接触部がテーパを通じて摺動し微小に摩耗することになるので、装置の長期間にわたっての使用により、スライダ部材の端面又は保護部材の導電接触部に酸化皮膜や油膜等が形成されてしまった場合でも、この酸化膜等を前記テーパを通じた微小摩耗により随時剥離することができる。これにより、アース機構の接続信頼性を長期間にわたって持続することができる。
【００２４】
また、本発明の光ディスク装置は、前記付勢部材が、コイルスプリングであることを特徴とする。
この発明の光ディスク装置は、筐体内からの可動体の排出力、すなわちスライダ部材と導電接触部との接触力を、一般に、ばね定数を低くすることできるコイルスプリングによって自由に設定できるので、スライダ部材が設けられた筐体とディスク記録／再生ユニットを覆う保護部材とを確実に接触させるための設計的な余裕度が増すことになり、これにより、アース機構の接続信頼性を向上させることができる。
【００２５】
【発明の実施の形態】
以下、本発明の実施の形態を図面に基づき説明する。
図１は本発明を適用した光ディスク装置を示す斜視図、図２は、図１の光ディスク装置から上側キャビネットを外した状態を示す斜視図、図２の光ディスク装置からドロワがイジェクトされている状態を示す斜視図、図４は、図２に示した光ディスク装置の分解斜視図である。
【００２６】
これらの図に示すように、この光ディスク装置１は、例えばノートブック型のＰＣに搭載可能な薄型構造のＣＤ−Ｒ／ＲＷドライブ等であって、光ディスク（図示せず）を記録／再生するためのディスク記録／再生ユニット２が搭載された可動体としてのドロワ３と、このドロワ３を収容可能な筐体であるキャビネット５とから主に構成されている。
【００２７】
キャビネッ５は、上蓋としての上側キャビネット６と、ドロワ３を矢印Ｘ１−Ｘ２方向に出し入れ自在（挿抜自在）とする搬入出機構等が設けられた下側キャビネット７（以下、単に「キャビネット７」と称する）とを備えている。
【００２８】
キャビネット７の両側内壁には、ドロワ３をガイド支持するための断面コの字状のガイドレール８、９が各々固定されている。これらガイドレール８、９には、さらに、スライドレール１０、１１がスライド自在に固定されている。ドロワ３は、両側に設けられたガイド突起１２、１４の先端部ａ１、ｂ１が、スライドレール１０、１１の先端部ａ２、ｂ２より各々嵌め込まれた形態でキャビネット７に支持されている。
【００２９】
ドロワ３には、キャビネット７内へのドロワ３の収容状態のロック／アンロックを行うイジェクトロック機構１５や、上述したガイド突起１２、１４を備えた樹脂製のトレー１６と、光ディスクの記録又は再生を光学的に行う上述したディスク記録／再生ユニット２と、このディスク記録／再生ユニット２を外部から保護するように覆う金属製のドロワ蓋１７とが設けられている。
【００３０】
イジェクトロック機構１５は、光ディスクの記録／再生を行う場合において、ドロワ３をキャビネット７の奥まで挿入するとロックが掛かり、一方、ユーザがイジェクトボタン１８を押した場合にロック状態が解除される。
ディスク記録／再生ユニット２を覆う保護部材としてのドロワ蓋１７は、腐食・キズ防止用の塗料がコーティングされた例えばアルミニウム製の板材等を金型加工により成形したものである。
【００３１】
ディスク記録／再生ユニット２には、ディスクチャッキング機構１９に装着された光ディスクを駆動するディスクモータ２０と、光ディスクにレーザ光を照射して情報の記録／再生を行うピックアップ２１と、このピックアップ２１をディスクの半径方向に搬送するピックアップ送り機構等が搭載されている。このようなディスク記録／再生ユニット２と前述したドロワ蓋１７とは、図示しないフローティング機構を介しビス２２によりトレー１６に共締めされている。
【００３２】
ここで、本実施形態に係る光ディスク装置１に設けられたアース機構について説明する。
このアース機構は、少なくともキャビネット７内へドロワ３が挿入された状態において、ディスク記録／再生ユニット２を覆う金属製のドロワ蓋１７と金属製のキャビネット７とを導電接触させ、ピックアップ２１等の電気部品が搭載されたディスク記録／再生ユニット２のアースをとるためのものである。
【００３３】
すなわち、キャビネット７には、その内側面２３に金属シャフト２４、２５を介してスライド自在に設けられ、薄鋼板に耐食メッキ処理を施した板材を加工成形したドロワ排出用スライダ２６と、キャビネット７内へドロワ３が収容（挿入）された状態において、ドロワ排出用スライダ２６の切欠き２７及び金属シャフト２４に係止され、キャビネット７内よりドロワ３を排出するための付勢力をドロワ排出用スライダ２６に付与するコイルスプリング２８と、ドロワ３のイジェクトロック機構１５と係合してキャビネット７内に対してのドロワ３のロック／アンロックを実現する係合部とが設けられている。
【００３４】
上記コイルスプリング２８は、ドロワ排出用スライダ２６を介してキャビネット７内からドロワ３を確実にイジェクトできるように、キャビネット７内へドロワ３が収容された状態において、例えば０．０２５Ｎ（ニュートン）といった比較的強い付勢力を発揮するようにばね荷重が設定されている。一方で、コイルスプリング２８のばね定数は、コイルスプリングの構造上の特性を生かして極力低く設定されている。
【００３５】
ここで、ドロワ蓋１７には、キャビネット７内へドロワ３が収容（挿入）された状態において、コイルスプリング２８によって付勢力を付与されたドロワ排出用スライダ２６先端の圧接部２９と導電接触する導電接触部３０が設けられている。
【００３６】
なお、イジェクトボタン１８が押され、イジェクトロック機構１５によるロックが解除された場合には、ドロワ排出用スライダ２６先端の圧接部２９が、ドロワ蓋１７の導電接触部３０を、コイルスプリング２８の付勢力により押し出すことでドロワ３がキャビネット７内より排出（イジェクト）される。
【００３７】
ここで、図５及び図６に基づき、ドロワ排出用スライダ２６の圧接部２９とドロワ蓋１７の導電接触部３０について詳述すると、各々が各部材の端面（エッジ部）に設けられており、しかも導電接触部３０は、テーパ状に形成されている。
【００３８】
これにより、ドロワ排出用スライダ２６及びドロワ蓋１７の表面には腐食防止用のメッキ処理や塗料等のコーティングが施されているものの、これらの材料（母材）を裁断した端面、すなわち母材の金属部分が露出した破断面どうしを導電接触させることができる。
【００３９】
また、光ディスクを出し入れする動作、すなわち、キャビネット７に対してドロワ３をＸ１−Ｘ２方向に挿抜する動作により、ドロワ排出用スライダ２６の圧接部２９とドロワ蓋１７の導電接触部３０とが導電接触部３０のテーパを通じて摺動し微小に摩耗することになる。
【００４０】
すなわち、光ディスク装置１の長期間にわたっての使用により、ドロワ排出用スライダ２６の圧接部２９又はドロワ蓋１７の導電接触部３０に酸化皮膜や油膜等が形成されてしまった場合でも、この酸化膜等を前記テーパを通じた微小摩耗により随時剥離することができる。これにより、アース機構の接続信頼性を長期間にわたって持続することができる。
【００４１】
このように、本実施形態に係る光ディスク装置１は、ピックアップ２１等の電気部品が搭載されるディスク記録／再生ユニット２のアースをとるために、ドロワ３に設けられたディスク記録／再生ユニット２を覆うドロワ蓋１７とドロワ排出用スライダ２６が設けられたキャビネット７とを、キャビネット７内よりドロワ３を排出するための付勢力を利用して導電接触させることができる。
【００４２】
したがって、本実施形態の光ディスク装置１によれば、キャビネット７内よりドロワ３を排出するためのコイルスプリング２８による付勢力、並びにドロワ３がキャビネット７内から排出される際のストローク量が、キャビネット７及びドロワ蓋１７を導電接触させるための接触力及び接触状態を維持する余裕度として実質的にそれぞれ置き換えられることになり、これにより、ディスク記録／再生ユニット２のアースをとるアース機構の接続信頼性を向上させることができ、しかもこのアース機構の接続信頼性を長期間にわたって持続させることができる。
【００４３】
以上、本発明を実施の形態により具体的に説明したが、本発明は前記実施形態にのみ限定されるものではなく、その要旨を逸脱しない範囲で種々変更可能である。例えば、本実施形態では、本発明をノートＰＣ搭載型のＣＤ−Ｒ／ＲＷドライブに適用した場合について説明したが、ＤＶＤ、ＤＶＤ−ＲＯＭ、ＤＶＤ−Ｒ／ＲＷ、ＭＯ等の再生（又は記録）を行うあらゆるタイプの光ディスクドライブに本発明を適用することができる。
【００４４】
【発明の効果】
以上説明したように、本発明の光ディスク装置は、ピックアップ等の電気部品が搭載されるディスク記録／再生ユニットのアースをとるために、可動体に設けられたディスク記録／再生ユニットを覆う保護部材とスライダ部材が設けられた筐体とを、筐体内より可動体を排出するための付勢力を利用して導電接触させることができる。したがって、本発明によれば、筐体内より可動体を排出するための排出力及びストローク量が、筐体及び保護部材を導電接触させるための接触力及び接触状態を維持する余裕度として実質的にそれぞれ置き換えられることになり、これにより、ディスク記録／再生ユニットのアースをとるアース機構の接続信頼性を向上させることができ、しかもこのアース機構の接続信頼性を長期間にわたって持続させることができる。
【図面の簡単な説明】
【図１】本発明の実施形態に係る光ディスク装置を示す斜視図である。
【図２】図１の光ディスク装置から上側キャビネットを外した状態を示す斜視図である。
【図３】図２の光ディスク装置からドロワがイジェクトされている状態を示す斜視図である。
【図４】図２に示した光ディスク装置の分解斜視図である。
【図５】図１の光ディスク装置が備えるドロワ排出用スライダの圧接部とドロワ蓋の導電接触部とが接触する直前の状態を詳細に示す斜視図である。
【図６】図５のドロワ排出用スライダの圧接部とドロワ蓋の導電接触部とが接触している状態を示す平面図（図５の矢視図）である。
【図７】従来の光ディスク装置を示す斜視図である。
【図８】図７の光ディスク装置からドロワがイジェクトされている状態を図７と異なる方向（裏側）からみた斜視図である。
【図９】図７の光ディスク装置を示す分解斜視図である。
【符号の説明】
１…光ディスク装置、２…ディスク記録／再生ユニット、３…ドロワ、５…キャビネット、６…上側キャビネット、７…下側キャビネット、１６…トレー、１７…ドロワ蓋、２１…ピックアップ、２６…ドロワ排出用スライダ、２８…コイルスプリング、２９…圧接部、３０…導電接触部。
【図１】
0003793046.tif 000002
【図２】
0003793046.tif 000003
【図３】
0003793046.tif 000004
【図４】
0003793046.tif 000005
【図５】
0003793046.tif 000006
【図６】
0003793046.tif 000007
【図７】
0003793046.tif 000008
【図８】
0003793046.tif 000009
【図９】
0003793046.tif 000010